(57)【要約】【課題】主杆の外側面に枝杆を固定してなる脚装置において、美感も確保しつつ高い支持強度を確保する。【解決手段】天板が取り付く主杆５は角形鋼管製である一方、枝杆６はアルミダイキャスト品である。枝杆６の前端には主杆５に重なる接合部２１を設けており、接合部２１に補強金具２９をビス３０で固定し、補強金具２９に設けた係合爪３１を主杆５の係合穴３２に嵌め込んでいる。接合部２１は主ビス３３で主杆５に固定されている。接合部２１に設けた位置決め突起３８が主杆５の位置決め穴３９に嵌まっている。主杆５がスチール製であることと、主杆５と枝杆６とが補強金具２９及び位置決め突起３９によって姿勢保持されていることとにり、接合部２１をできるだけ短くして見た目を良くしつつ、高い支持強度を確保できる。【選択図】図４
2015092967.tif 000002
【特許請求の範囲】
【請求項１】
被支持物が取り付けられる上下長手の棒状の主杆と、前記主杆から分岐して床に向かう棒状の枝杆とを有しており、前記枝杆の上端部を前記主杆の外周に重ねてねじで固定している構成であって、前記枝杆と主杆との重合部に補強金具を配置している、
家具の脚装置。
【請求項２】
前記主杆は鉛直線に対して傾斜した姿勢であって下端は床まで延びている一方、前記枝杆も鉛直線に対して前記主杆と反対方向に傾斜しており、このため全体として略人字形になっており、かつ、前記枝杆の上端に、前記主杆の外側面に重なる上下長手の接合部を設けており、この接合部が前記主杆に重ね固定されている、
請求項１に記載した家具の脚装置。
【請求項３】
前記補強金具は、一方の杆にはビスで固定されて、他方の杆には横ずれ不能及び抜け不能に係合している、
請求項１又は２に記載した家具の脚装置。
【請求項４】
前記主杆はスチール製は中空構造又は溝形構造である一方、前記枝杆はアルミ製又は樹脂製であって、前記補強金具は前記枝杆に固定されており、前記補強金具に、前記主杆の側に突出した上向き鉤状の係合爪を設け、前記係合爪が前記主杆に設けた係合穴に嵌まっている、
請求項１〜３のうちのいずれかに記載した家具の脚装置。
【発明の詳細な説明】
【技術分野】
【０００１】
本願発明は、テーブル等の家具における棒状の脚装置に関するものである。
【背景技術】
【０００２】
家具の脚装置は様々な形態が存在するが、例えばテーブルでは棒状の形態が広く採用されている。天板を水平姿勢から前傾姿勢に前倒しできる折り畳み式テーブルでは、脚装置は、一般に、天板の下面近くから床まで延びる主杆と、主杆の上下中途部から後ろ向きに分岐した枝杆とで構成しており、従って、脚装置は側面視で略人字形になっている（例えば特許文献１〜３。）。
【０００３】
折り畳み式テーブルにおいて脚装置を人字形の形態にしているのは、枝杆を主杆の左右外側に位置させることで、前後に配置したテーブルの脚装置を互いに嵌め合わせできるようにするためである。なお、主杆と枝杆とからなる脚装置としては、床に接地しない主杆の下端部から２本の枝杆を分岐させた逆Ｙ形のものがあり、これは折り畳み式でないテーブルに多く使用されている。椅子の脚装置としては、床まで届かない主杆の下端から４本又は５本の枝杆を分岐させたものが多用されている。天板が円形のテーブルでも、床まで届かない主杆の下端から４本の枝杆を分岐させたものが使用されている。
【０００４】
折り畳み式テーブルの脚装置の場合、主杆と枝杆とを例えばアルミダイキャストによって一体品として製造する場合もあるが、この場合は金型が非常に大型化するため、主杆と枝杆とを別々に製造して、両者をビスで固定することが広く行われている。その例として特許文献１では、枝杆の上端に主杆と重なる延長部を設けて、延長部に形成した凹所に主杆の上部を嵌め入れて、両者をねじで固定している。
【先行技術文献】
【特許文献】
【０００５】
【特許文献１】特許第４９４８８７２号公報
【特許文献２】特許第５１５０９１８号公報
【特許文献３】意匠登録第１４７５０２０号公報
【発明の概要】
【発明が解決しようとする課題】
【０００６】
特許文献１のように主杆と枝杆とを嵌め合わせると高い強度を確保できるが、両者の嵌合部が露出することで見た目が悪くなることがある。また、このスチールは薄くても高い強度を有するため脚装置の材料として好適であるが、特許文献１のような嵌め合わせ方式では主杆も枝杆もスチールの鋼管や板金加工品を使用するのは難しく、主杆及び枝杆ともアルミダイキャスト品を使用せざるを得ないため、スチール品の特性を活かし切れないという問題もある。
【０００７】
本願発明は、このような現状を改善すべく成されたものである。
【課題を解決するための手段】
【０００８】
本願発明は様々な構成を含んでおり、その例を各請求項で特定している。このうち請求項１は、被支持物が取り付けられる上下長手の棒状の主杆と、前記主杆から分岐して床に向かう棒状の枝杆とを有しており、前記枝杆の上端部を前記主杆の外周に重ねてねじで固定している構成であって、前記枝杆と主杆との重合部に補強金具を配置している。なお、主杆は主足と言い換え、枝杆は枝足と言い換えてもよい。
【０００９】
請求項２の発明は、請求項１において、前記主杆は鉛直線に対して傾斜した姿勢であって下端は床まで延びている一方、前記枝杆も鉛直線に対して前記主杆と反対方向に傾斜しており、このため全体として略人字形になっており、かつ、前記枝杆の上端に、前記主杆の外側面に重なる上下長手の接合部を設けており、この接合部が前記主杆に重ね固定されている。
【００１０】
請求項３の発明は、請求項１又は２において、前記補強金具は、一方の杆にはビスで固定されて、他方の杆には横ずれ不能及び抜け不能に係合している。請求項４の発明は、請求項１〜３のうちのいずれかにおいて、前記主杆はスチール製は中空構造又は溝形構造である一方、前記枝杆はアルミ製又は樹脂製であって、前記補強金具は前記枝杆に固定されており、前記補強金具に、前記主杆の側に突出した上向き鉤状の係合爪を設け、前記係合爪が前記主杆に設けた係合穴に嵌まっている。
【発明の効果】
【００１１】
本願発明では、主杆と枝杆との締結が補強金具によって補強されるため、締結強度を低下させることなく主杆に対する枝杆の接合面積をできるだけ小さくして、美感を向上でき。また、本願発明は特許文献１のような嵌め合わせ構造を採用する必要がないため、主杆はその表面がフラットであってもよく、従って、請求項４のように主杆又は枝杆にスチール品を使用することも簡単に実現でき、その結果、脚装置の強度をより一層向上させることが可能になる。
【００１２】
請求項２では、枝杆は主杆の外面からはみ出ている。従って、前後に配置した脚装置を互いに嵌め合わせできる折り畳み式テーブルの脚装置として好適である。補強金具は主杆と枝杆とに対してねじで固定することも可能であるが、請求項３のように、片方にはねじで固定されて他方には係合する方式を採用すると、補強金具を一方の杆に嵌め込むことで両者の姿勢を仮保持できるため、組み立てが容易になる利点がある。
【００１３】
また、請求項３の構成では、主杆と枝杆とは左右方向に離脱不能に係合しているため、例えば主杆と枝杆とを締結しているねじが破断するといったアクシデントがあっても、主杆と枝杆との係合関係を保持できる。このため、万が一の事態に至っても、テーブルが潰れ変形してしまうことを防止して、安全性を確保することができる。
【００１４】
請求項４の構成を採用すると、主杆はスチール材で単純な形状とする一方、枝杆はアルミ又は樹脂の成形品を使用してデザイン的にも洗練された形態とすることができるため、脚装置の全体としての美感と向上させしつつ高い支持強度を確保できる。
【図面の簡単な説明】
【００１５】
【図１】実施形態に係るテーブルの斜視図で、（Ａ）は上から見たもの、（Ｂ）は下から見たものである。
【図２】（Ａ）は本体枠の斜視図、（Ｂ）は天板を省略した状態での斜視図である。
【図３】（Ａ）は脚装置とサイドフレームとの分離斜視図、（Ｂ）は枝杆の構造を示す分離斜視図である。
【図４】（Ａ）（Ｂ）とも主杆と枝杆との分離斜視図である。
【図５】（Ａ）は枝杆と補強金具との分離斜視図、（Ｂ）は金具を固定した状態での枝杆の斜視図である。
【図６】（Ａ）はテーブルの使用状態での側面図、（Ｂ）は折り畳んだ状態での側面図、（Ｃ）は補強金具の機能を説明するための分離側面図である。
【発明を実施するための形態】
【００１６】
(1).テーブルの概要
次に、本願発明の実施形態を図面に基づいて説明する。まず、テーブルの概要を説明する。テーブルは、図１，２に示すように、左右の脚装置１とその上に配置された天板２、及び、脚装置１の手前で天板２の前部下方に配置した幕板３とを備えている。
【００１７】
脚装置１は、上端に支持ブロック４を装着した中空角形構造の主杆５と、その上下中途部に接続された枝杆６とで略人字形になっており、主杆５の下端と枝杆６の下端にはキャスタ７を設けている。主杆５は下端から上端に向けて後ろにずれていく側面視で後傾姿勢かつ直線姿勢になっている。他方、枝杆６は下に向けて低くなる姿勢であり、主杆５の後ろに位置している。脚装置１の詳細は後述する。
【００１８】
左右の主杆５の上端部は、中空角形の横長ステー８で連結されている。従って、左右の脚装置１と横長ステー８で本体枠が構成されている。主杆５の上端に設けた支持ブロック４には、前後長手のサイドフレーム９がその前後中途部を中心にして上下回動するように左右横長のピン（ボルト）１０で連結されており、左右のサイドフレーム９の前端部と後端部とを中空角形のジョイントバー１１で連結している。
【００１９】
サイドフレーム９とジョイントバー１１とで天板２を支持する枠組みが構成されており、天板２は、これらサイトフレーム９とジョイントバー１１にビス（図示せず）で締結されている。天板２には、ビスが螺合する鬼目ナット１２（図２（Ｂ）参照）を嵌着している。
【００２０】
左右のサイドフレーム９には、折り畳み操作のためのレバー１３を回動自在に取付けている。左右のレバー１３は連動しており、レバー１３を下向きに倒す（又は上向きに起こす）と、サイドフレーム９の内部に配置したロック機構のロックが解除されて、テーブルを折り畳むことができる。左右のロック機構を連動させるために、左右サイドフレーム９の間には複数本の連動杆１４を配置している。
【００２１】
幕板３はスチール等の金属板製であり（木製でもよい）、その上端に左右横長の上ダクト１５を固定し、この上ダクト１５が天板２に吊支装置１６を介して前後回動自在に連結されている。また、幕板３の左右端部には上下長手で後ろ向きに開口したサイドダクト１７が固定されており、幕板３のうち下寄り部位の左右側部がリンク１８によって主杆５に回動可能に連結されている。
【００２２】
天板２を水平姿勢に倒してテーブルとして使用する状態では、図１（Ｂ）に明示するように、幕板３は天板２の前部下方において鉛直姿勢になっており、テーブルを折り畳んだ状態では、図６（Ｂ）に明示するように、天板２と幕板３とは、その前端が下になると共に主杆６と平行な前傾姿勢になっている。
【００２３】
(2).脚装置の詳細
次に、他の図も参照して脚装置１の詳細を説明する。主杆５は、平面視で前後に長い長方形の断面形状を有する角形鋼管（又は鋼板の板金加工品）を使用しており、その上端に既述の支持ブロック４を嵌め込み装着している。上部の内側側面に、既述の横長ステー８を固定するためのブラケット２０（図２（Ａ）参照）を設けている。
【００２４】
枝杆６はアルミダイキャスト品であり、上端には主杆５の外側面に重なる上下長手の接合部２１を一体に設けている。従って、枝杆６の上部は略Ｔ形になっている。上下のうちいずれか一方のみに張り出した側面視Ｌ字状とすることも可能であるが、実施形態のようにＴ形の形態を採用すると、ねじれに対して強いため剛性を向上できるのみならず、見た目においても頑丈なイメージが高くなって好適である。実施形態は上向き張り出し寸法を大きくしているが、上下に均等に張り出したり下向きに大きく張り出したりすることも可能ある。
【００２５】
例えば図３に示すように、枝杆６の下端には下向き鉛直部２２を設けており、下向き鉛直部２２にキャスタ７の支軸２３を嵌め入れている。キャスタ７の支軸２３には上側に張り出したブラケット２４を設けており、ブラケット２４がビス２５で枝杆６に固定されている。
【００２６】
また、枝杆６のうち接合部２１と下向き鉛直部２２との間の部分は下向き開口溝を有する樋状になっており、左右内側に位置した側板６ａの下端縁に樹脂製の緩衝材２７をビスス（図示せず）で固定している。緩衝材２７は、図６（Ｂ）のようにテーブルを折り畳んでからテーブル同士を嵌め合わせるにおいて、後ろのテーブルの主杆５が衝突したときの傷付きを防止するためのものである。
【００２７】
図４，５に示すように、枝杆６の接合部２１は、基本的には主杆５に向けて開口した中空構造になっており、その内部に、縦方向及び横方向並びに斜め方向に延びる補強リブ２８を形成している。そして、接合部２１の内部の中央部に、上下長手の四角形で鋼板製の補強金具２９を副ビス３０で固定し、補強金具２９の外側板２９ａに設けた左右一対ずつの係合爪３１を主杆５に設けた係合穴３２に嵌め入れており、更に、主杆５と接合部２１とは、補強金具２９の上下に位置した２本の主ビス３３で締結されている。
【００２８】
接合部２１には、縦横の補強リブ２８に切欠き３４を形成することで補強金具２９の嵌合部を形成しており、縦横の補強リブ２８が交差した箇所に副ビス３０が螺合するタップ穴３５を空けている。また、係合爪３１は左右に上下２つずつ設けており、上向き鉤状の形態を成している。他方、図５のとおり、主杆５の係合穴３２は上下に長いスリット状の形態を成している。
【００２９】
主ビス３３は、枝杆６における接合部２１の縦横の補強リブ２８の交差部に設けたタップ穴３５に螺合している。このため、主杆５のうち外側板５ａには主ビス３３の軸が貫通するビス穴３６を設けて、主杆５のうち内側板５ｂには、主ビス３３の頭が貫通する逃がし穴３８（図３（Ａ）参照）を空けている。
【００３０】
図５のとおり、枝杆６における接合部２１のうち、補強金具２９のすぐ上とすぐ下との２箇所に横長の位置決め突起３９を設けている一方、図４のとおり、主杆５の外側板５ａには、位置決め突起３９が嵌まる位置決め穴４０を空けている。
【００３１】
(3).まとめ
以上の構成において、主杆５と枝杆６とは主ビス３３の締結によって固定されているが、両者の間には補強金具２９が介在しているため、接合部２１の上下長さをできるだけ短くしつつ、高い強度を確保することができる。
【００３２】
さて、実施形態では主杆５には安価で高強度の角形鋼管を使用しているが、図６（Ａ）に白抜き矢印で示すようにテーブルには下向き荷重が作用するため、主杆５は後ろに倒れようとする外力を受ける。このため、仮に、枝杆６を主杆５に重ねて主ビス３３で締結しただけであると、主杆５と枝杆６との間の滑りが生じて、締結強度は著しく弱くなる。さりとて、主杆５が鋼管製又は板金製であると、特許文献１のような嵌め合わせ構造は現実には採用し難い。
【００３３】
この点、本実施形態では、補強金具２９は枝杆６における接合部２１に嵌まり込んでいて、上下方向及び左右方向にずれ不能で且つ副ビス３０の軸心回りに回動不能に保持されている一方、係合爪３１がスリット状の係合穴３２に嵌まっているため、主杆５と枝杆６とは補強金具２９を介して側面視での相対姿勢が不能の状態に保持されている。このため、主杆５の倒れをしっかりと防止して、脚装置１に高い支持強度を保持させることができる。
【００３４】
また、本実施形態のように位置決め突起３９と位置決め穴４０との嵌め合わせ構造を採用すると、主杆５と枝杆６との相対姿勢の変化をより一層的確に防止して、脚装置１の支持強度をより一層向上できる。
【００３５】
また、例えば主ビス３３が折損するといった事故が発生しても、補強金具２９によって主杆５と枝杆６とが接合した状態が保持され、しかも、位置決め突起３９と位置決め穴４０との嵌め合わせによっても両杆５，６の相対姿勢の変化が阻止されているため、脚装置１が全体的に潰れて天板２が下降するような事態には至らない。このため、不測の事態に至っても、高い安全性を確保することができる。
【００３６】
この場合、主杆５は、天板２への荷重により、図６（Ａ）に黒抜き矢印で示すうに後傾しようとする傾向を呈するが、実施形態のように補強金具２９の係合爪３１を上向き鉤状の形態に設定しておくと、主杆５の倒れは、当該主杆５と係合爪３１との嵌合関係を助長するように作用して、位置決め突起３９と位置決め穴４０とが嵌まった状態で保持されるため、安全性の確保の点でより好適である。
【００３７】
本願発明は、上記の実施形態の他にも様々に具体化できる。例えば、適用対象は折り畳み式テーブルに限らず、折り畳み式でないテーブルや椅子、天板付きスタンド、衣服掛けなど各種の家具に適用できる。椅子用脚の例から容易に理解できるように、主杆は床に接地する必要はなく、複数本の枝杆のみが接地する構成でもよい。
【００３８】
補強金具の形態や配置個数は、必要に応じて任意に設定できる。例えば、係合爪が平面視で１つのみのＬ形やＴ形とすることも可能である。高い強度が必要な場合は、複数の補強金具を上下方向とに並設することも可能である。タップ穴を主杆又は枝杆に形成せずに、ビス（ボルト）とナットとの組み合わせを採用することも可能である。
【産業上の利用可能性】
【００３９】
本願発明は、折り畳み式テーブル等の脚装置に広く適用できる。従って、産業上利用できる。
【符号の説明】
【００４０】
１  脚装置
２  天板
５  主杆（主足）
６  枝杆（枝足）
７  キャスタ
２１  枝杆の接合部
２８  補強リブ
２９  補強金具
３０  副ビス
３１  係合爪
３２  係合穴
３３  主ビス
３９  位置決め突起
４０  位置決め穴
【図１】
2015092967.tif 000003
【図２】
2015092967.tif 000004
【図３】
2015092967.tif 000005
【図４】
2015092967.tif 000006
【図５】
2015092967.tif 000007
【図６】
2015092967.tif 000008